(57)【要約】【課題】電子ピアノ型のアクション装置を応用して打弦鍵盤楽器の小型化を行うことができるように、従来のアクション装置を、荷重部材とハンマー、およびダンパーに置換したアクション装置を提供する。【解決手段】  本発明のアクション装置は、薄板鍵盤の下面に荷重部材Ａを当接し、該荷重部材の一端にハンマーＢを係合し、該荷重部材の一端にダンパーＣを係合し、ダンパーＣは該ハンマーの略長尺内に併置されるように置換したことを特徴とする。【選択図】図４
2011102884.tif 000002
【特許請求の範囲】
【請求項１】
薄板鍵盤を有する打弦鍵盤楽器のアクション装置であり、鍵盤下面に当接する荷重部材と、該荷重部材の一端に係合するハンマーと、該荷重部材の一端に係合し、該ハンマーの略長尺内に併置されるダンパーを備えた、打弦鍵盤楽器のアクション装置。
【請求項２】
請求項１のアクション装置において、該荷重部材、該ハンマー、該ダンパーはそれぞれ揺動可能に固定されるフレンジを有し、該フレンジには楽器躯体または固定用部品への着脱可能部位を持たせたアクション装置。
【請求項３】
請求項１あるいは２のアクション装置において、該ハンマーは、該荷重部材と同方向へ回動し、該ダンパーは該荷重部材と逆方向に回動するアクション装置。
【発明の詳細な説明】
【技術分野】
【０００１】
本発明は、打弦鍵盤楽器のアクション装置に関するものである。
【背景技術】
【０００２】
打弦鍵盤楽器のアクション装置は、鍵盤を押下することに連動して、ハンマーが弦を打撃し、かつ、鍵盤を押下している間のみダンパーが弦を開放する原理となっている。古典的には、ハンマーが鍵盤側から遠方に向かって係止されるイギリス式アクションや、ハンマーが鍵盤側に向かって係止されるウイーン式アクションがある。本格的なピアノでは、多くの改良がみられ、鍵盤押下終了時にハンマーが弦から十分離れるエスケープメント機構、鍵盤を完全に戻さなくても連打が可能となるレペティション機構などが追加されている。
【０００３】
電気ピアノにおいては、エスケープメント機構やレペティション機構は省略される傾向にあり、ハンマー、ダンパーの独自形状が開発されてきた。これは本格的なピアノの機能を満たすものではないが、小型化可能であることや、演奏される音楽の多様化を背景に、演奏者に許容された。
【０００４】
電子ピアノにおいては、ピアノのアクションの演奏感の良好さが重視され、さまざまな再現技術が蓄積されてきた。多くの電子ピアノで、薄板状の鍵盤の下部に荷重部材としてのハンマーを当接させ、ピアノでは鍵盤と別の設置スペースを要しているアクション装置を、擬似的に鍵盤の略長尺に収め、楽器の小型化に貢献している。
【先行技術文献】
【特許文献】
【０００５】
【特許文献１】実開昭４８−０９１９２５号広報
【０００６】
【特許文献２】特開平０８−１６０９５４号広報
【発明の概要】
【発明が解決しようとする課題】
【０００７】
しかし、現実の利用場面では、ピアノ、電気ピアノなどの打弦鍵盤楽器を、電子ピアノに類する設置スペースで利用したいことがあり、電子ピアノ型のアクション装置で打弦、止音できることが望まれる。このとき、従来の電子ピアノ型のアクション装置は発音に関与しないため、この構造を打弦鍵盤楽器に適用して楽器の小型化を図ることは困難である。荷重部材としてのハンマーを直接打弦に用いようとすると、鍵盤操作における質感に要される荷重と、良好な打弦を得るのに要される荷重の矛盾が生じる。また、電子ピアノでは止音が電子的に行われるため、ダンパーを備えておらず、仮に打弦が成立しても、止音できない。
【０００８】
歴史的にはスクエアピアノと呼ばれている類直方体の打弦鍵盤楽器などが、比較的小型であるが、これらの形態ではグランドピアノ同様に、鍵盤が押鍵可能な部分のほか、押鍵によって挙上する遠位端まで延伸しており、弦の設置位置が該遠位端の上方となって、楽器の高さを増してしまう。電子ピアノ型アクション装置のスペース効率性は、奥行きの小ささとともに、高さの小ささにも由来するため、この形態では前記目的を達成するのが困難である。
【課題を解決するための手段】
【０００９】
本発明によるアクション装置は、電子ピアノにみられる薄板による鍵盤の下面に当接される荷重部材を、荷重部材と、該荷重部材の一端に係合するハンマーと、該荷重部材の一端に係合し、該ハンマーの略長尺内に併置されるダンパーとで置換したことを特徴とする。
【００１０】
各主要部品の特徴は以下の特徴が求められる。該荷重部材は、中間部に支点を持つてこであり、演奏者に対する近位端より遠位端が重く構成され、近位端で鍵盤との当接部を有する。該ハンマーは一端近傍に支点を持つてこであり、該荷重部材とは、中間部で係合している。該ダンパーは、中間部に支点を持つてこであり、演奏者に対する近位端が遠位端より重く構成され、該荷重部材とは近位端で係合している。
【００１１】
機能的にみると、鍵盤の押下時には、該荷重部材の鍵盤との当接部を介して近位端が下降し、遠位端が上昇することによって、該ハンマーは、該荷重部材と同方向へ回動し、打弦を生じる。同時に該ダンパーは該荷重部材と逆方向に回動し、弦を開放する。鍵盤の離鍵時には、該荷重部材の近位端が上昇し、遠位端が下降することによって、該ハンマーは該荷重部材と同方向へ回動し、元の位置に復帰する。同時に、該ダンパーは該荷重部材と逆方向に回動し、弦に当接することで止音に至る。
【発明の効果】
【００１２】
本発明のアクション装置によって、従来、電子ピアノ型の薄板鍵盤では行えなかった、打弦および止音が可能となり、打弦鍵盤楽器の小型化が奥行きおよび高さについて可能となる。
【図面の簡単な説明】
【００１３】
【図１】図１は本発明のアクション装置のうち、荷重部材の投影図である。
【図２】図２は本発明のアクション装置のうち、ハンマーの投影図である。
【図３】図３は本発明のアクション装置のうち、ダンパーの投影図である。
【図４】図４は本発明のアクション装置を配置した実施例の横面図である。
【発明を実施するための形態】
【００１４】
本発明は、機能単位として荷重部材、ハンマー、ダンパーの三つに分けられるため、平易な実施方法としては、荷重部材、ハンマー、ダンパーをそれぞれ部品化することが考えられる。
【００１５】
図１は荷重部材の例を示しており、荷重部材軸１を支点としたてこ構造をしている。該荷重部材は、荷重部材軸１によって、荷重部材フレンジ２に揺動可能に固定されており、荷重部材錘３によって、荷重部材ボタン部４が高く保たれ、荷重部材ジャック部５は垂下している。荷重部材フレンジ２には、荷重部材固定穴６が穿掘されており、ネジなどで楽器本体への固定に用いる。
【００１６】
図２はハンマーの例を示しており、ハンマー軸７を支点としたてこ構造をしている。該ハンマーは、ハンマー軸７によって、ハンマーフレンジ８に揺動可能に固定されており、該ハンマー自体の重みでハンマー先端９は垂下している。ハンマーフレンジ８には、ハンマー固定穴１０が穿掘されており、ネジなどで楽器本体への固定に用いる。
【００１７】
図３はダンパーの例を示しており、ダンパー軸１１を支点としたてこ構造をしている。該ダンパーは、ダンパー軸１１によって、ダンパーフレンジ１２に揺動可能に固定されており、ダンパー錘１３によって、ダンパー力点部１４が垂下しており、ダンパー作用点部１５は挙上している。ダンパーフレンジ１２には、ダンパー固定穴１６が穿掘されており、ネジなどで楽器本体への固定に用いる。
【００１８】
これら３部品を配置する例を図４に示している。荷重部材Ａは、鍵盤１７の下部、鍵盤底板１８の上にネジなどで固定されている。ハンマーＢは、ハンマー固定棹１９にネジなどで固定されている。ダンパーＣはダンパー固定板２０にネジなどで固定されている。相互関係については、図４では、荷重部材ボタン部が鍵盤１７に当接していること、荷重部材ジャック部５がハンマーＢに当接していること、ダンパーひも２１が荷重部材ジャック部５に係合していることが示されている。
【００１９】
機能としては、鍵盤１７の押下によって、荷重部材ボタン部４が押下され、荷重部材ジャック部５が挙上し、ハンマーＢを回動させ、ハンマー先端９が弦２２を打撃する。同時に、ダンパーＣが回動し、ダンパー作用点部１５は弦を離脱する。これによって、発音が生じる。鍵盤１７が離鍵されるときは、荷重部材Ａ、ハンマーＢ、ダンパーＣがそれぞれ元の位置に復帰して、ダンパー作用点部１５が弦に係止するため、止音が生じる。なお、各部品の接触雑音はフェルトなどによって各々に処理される。
【産業上の利用可能性】
【００２０】
本発明によるアクション装置は、本格的なピアノ等のアクション装置に代替するものではないが、打弦鍵盤楽器のアクションをごく小型化し、取り付けやすくしたため、これらの部品を用いることで、打弦鍵盤楽器の製造に不慣れな楽器製作者にも製造可能性を増すものと考えられる。
【符号の説明】
【００２１】
Ａ    荷重部材
Ｂ    ハンマー
Ｃ    ダンパー
１    荷重部材軸
２    荷重部材フレンジ
３    荷重部材錘
４    荷重部材ボタン部
５    荷重部材ジャック部
６    荷重部材固定穴
７    ハンマー軸
８    ハンマーフレンジ
９    ハンマー先端
１０  ハンマー固定穴
１１  ダンパー軸
１２  ダンパーフレンジ
１３  ダンパー錘
１４  ダンパー力点部
１５  ダンパー作用点部
１６  ダンパー固定穴
１７  鍵盤
１８  鍵盤底板
１９  ハンマー固定棹
２０  ダンパー固定板
２１  ダンパーひも
２２  弦
【図１】
2011102884.tif 000003
【図２】
2011102884.tif 000004
【図３】
2011102884.tif 000005
【図４】
2011102884.tif 000006